(57)【要約】【課題】正規品以外の部品の使用を防止することができる。【解決手段】ろ材及び内筒の上端に設けられた上プレートは、内筒に沿う筒状部と、筒状部の内周から径方向内側に突出して形成されるリブと、リブに形成された孔と、を有する。把持部材は、筒状部の中空部に挿入される厚板状の本体部から下向きに突出する突出部を有する。把持部材が上プレートに取り付けられたときに、突出部が孔に挿入される。【選択図】  図１
2020179318.tif 000002
【特許請求の範囲】
【請求項１】
フィルタケースの内部に設けられるフィルタエレメントであって、
両端に開口を有する中空円筒形状のろ材と、
前記ろ材の内側に設けられた内筒と、
前記ろ材及び前記内筒の上端に設けられた上プレートであって、前記内筒に沿う略筒状の筒状部を有する上プレートと、
前記上プレートに取り付けられた把持部材であって、前記筒状部の中空部に挿入される厚板状の本体部と、前記本体部の上面に設けられたハンドルと、を有する把持部材と、
前記本体部に設けられており、前記把持部材が前記上プレートに取り付けられたときに前記内筒の内側に配置されるバルブと、
前記把持部材が前記上プレートに取り付けられたときに、前記上プレートと前記把持部材との間に設けられたシール部材と、を備え、
前記上プレートは、前記筒状部の内周から径方向内側に突出して形成されるリブと、前記リブに形成された孔と、を有し、
前記把持部材は、前記本体部から下向きに突出する突出部を有し、
前記把持部材が前記上プレートに取り付けられたときに、前記突出部が前記孔に挿入される
ことを特徴とするフィルタエレメント。
【請求項２】
請求項１に記載のフィルタエレメントであって、
金属製の棒を環状に折り曲げて形成された弾性を有する押さえリングを更に備え、
前記上プレートは、前記押さえリングが設けられる収容部を有し、
前記本体部が前記筒状部に挿入された状態で前記収容部に前記押さえリングが設けられると、前記押さえリングが前記本体部の上面に当接する
ことを特徴とするフィルタエレメント。
【請求項３】
請求項１又は２に記載のフィルタエレメントと、
前記フィルタエレメントが内部に設けられた略有底筒状のフィルタケースと、
前記フィルタケースの上部の開口を覆うように、前記フィルタエレメント及び前記フィルタケースに設けられた蓋体と、
前記蓋体に設けられた差圧測定部と、
を備え、
前記蓋体には、前記差圧測定部が設けられる取付穴が形成され、
前記蓋体は、一端が前記取付穴に開口する第１孔及び第２孔を有し、
前記把持部材は、前記内筒の内部の空間と前記第１孔とを連通する第３孔を有し、
前記第２孔は、前記フィルタエレメントの外部及び前記フィルタケースの内筒の内部の空間と、前記取付穴とを連通する
ことを特徴とするフィルタ装置。
【請求項４】
請求項３に記載のフィルタ装置であって、
前記蓋体は、前記第１孔に連通する穴が内部に設けられた凸部を有し、
前記ハンドルは、前記凸部が挿入される凹部を有し、
前記第２孔は、一端が前記本体部の下面に開口し、他端が前記凹部の底面近傍に開口する
ことを特徴とするフィルタ装置。
【発明の詳細な説明】
【技術分野】
【０００１】
本発明は、フィルタエレメント及びフィルタ装置に関する。
【背景技術】
【０００２】
特許文献１には、フィルタエレメントが筒状に形成されるエレメント部分と、エレメント部分の内側に着脱可能に収容される内筒とを備え、簡単にエレメント部分を交換できるように構成されたフィルタエレメントが開示されている。
【先行技術文献】
【特許文献】
【０００３】
【特許文献１】特開２００９−２２００４５号公報
【発明の概要】
【発明が解決しようとする課題】
【０００４】
特許文献１に記載の発明では、正規品ではない内筒がエレメント部分に取り付けられるおそれがある。
【０００５】
本発明はこのような事情に鑑みてなされたもので、正規品以外の部品の使用を防止することができるフィルタ装置を提供することを目的とする。
【課題を解決するための手段】
【０００６】
上記課題を解決するために、本発明に係るフィルタエレメントは、例えば、フィルタケースの内部に設けられるフィルタエレメントであって、両端に開口を有する中空円筒形状のろ材と、前記ろ材の内側に設けられた内筒と、前記ろ材及び前記内筒の上端に設けられた上プレートであって、前記内筒に沿う略筒状の筒状部を有する上プレートと、前記上プレートに取り付けられた把持部材であって、前記筒状部の中空部に挿入された厚板状の本体部と、前記本体部の上面に設けられたハンドルと、を有する把持部材と、前記本体部に設けられており、前記把持部材が前記上プレートに取り付けられたときに前記内筒の内側に配置されるバルブと、前記把持部材が前記上プレートに取り付けられたときに、前記上プレートと前記把持部材との間に設けられたシール部材と、を備え、前記上プレートは、前記筒状部の内周から径方向内側に突出して形成されるリブと、前記リブに形成された孔と、を有し、前記把持部材は、前記本体部から下向きに突出する突出部を有し、前記把持部材が前記上プレートに取り付けられたときに、前記突出部が前記孔に挿入されることを特徴とする。
【０００７】
本発明に係るフィルタエレメントによれば、ろ材及び内筒の上端に設けられた上プレートは、内筒に沿う筒状部と、筒状部の内周から径方向内側に突出して形成されるリブと、リブに形成された孔と、を有し、把持部材は、筒状部の中空部に挿入される厚板状の本体部から下向きに突出する突出部を有し、把持部材が上プレートに取り付けられたときに、突出部が孔に挿入される。これにより、正規品以外の部品の使用を防止することができる。
【０００８】
ここで、金属製の棒を環状に折り曲げて形成された弾性を有する押さえリングを更に備え、前記上プレートは、前記押さえリングが設けられる収容部を有し、前記本体部が前記筒状部に挿入された状態で前記収容部に前記押さえリングが設けられると、前記押さえリングが前記本体部の上面に当接する。これにより、フィルタエレメントと把持部材とを一体化することができる。
【０００９】
上記課題を解決するために、本発明に係るフィルタ装置は、例えば、請求項１又は２に記載のフィルタエレメントと、前記フィルタエレメントが内部に設けられた略有底筒状のフィルタケースと、前記フィルタケースの上部の開口を覆うように、前記フィルタエレメント及び前記フィルタケースに設けられた蓋体と、前記蓋体に設けられた差圧測定部と、を備え、前記蓋体には、前記差圧測定部が設けられる取付穴が形成され、前記蓋体は、一端が前記取付穴に開口する第１孔及び第２孔を有し、前記把持部材は、前記内筒の内部の空間と前記第１孔とを連通する第３孔を有し、前記第２孔は、前記フィルタエレメントの外部及び前記フィルタケースの内筒の内部の空間と、前記取付穴とを連通することを特徴とする。
【００１０】
本発明に係るフィルタ装置によれば、フィルタケースの上部の開口を覆うように、フィルタエレメント及びフィルタケースに設けられた蓋体には、差圧測定部が設けられる取付穴が形成されている。蓋体は、一端が前記取付穴に開口する第１孔を有し、把持部材は、内筒の内部の空間と第１孔とを連通する第３孔を有する。また、蓋体は、フィルタエレメントの外部及びフィルタケースの内筒の内部の空間と、取付穴とを連通する第２孔を有する。これにより、蓋体に設けられた差圧センサでフィルタエレメントの外部及びフィルタケースの内筒の内部の空間と、内筒の内部の空間との差圧を検出することができる。
【００１１】
ここで、前記蓋体は、前記第１孔に連通する穴が内部に設けられた凸部を有し、前記ハンドルは、前記凸部が挿入される凹部を有し、前記第２孔は、一端が前記本体部の下面に開口し、他端が前記凹部の底面近傍に開口してもよい。これにより、蓋体と把持部材との位置関係を一定にすることができる。
【発明の効果】
【００１２】
本発明によれば、正規品以外の部品の使用を確実に防止することができる。
【図面の簡単な説明】
【００１３】
【図１】フィルタ装置１の概略を示す断面図である。
【図２】フィルタエレメントの上端近傍及び把持部材の断面図である。
【図３】上プレートの斜視図である。
【図４】把持部材の斜視図である。
【図５】フィルタ装置２の概略を示す断面図である。
【図６】取付部、蓋本体及び把持部材の断面図である。
【発明を実施するための形態】
【００１４】
以下、本発明の実施形態を、図面を参照して詳細に説明する。本実施の形態では、濾過対象の液体として作動油を例に説明するが、濾過対象の液体は作動油に限られない。また、以下の実施の形態では、リターンフィルタを例に説明するが、本発明のフィルタ装置はリターンフィルタに限られない。
【００１５】
＜第１の実施の形態＞
図１は、フィルタ装置１の概略を示す断面図である。図１では、断面を示すハッチングを省略する。
【００１６】
フィルタ装置１は、作動油に含まれる塵埃等を濾材を用いて除去するものであり、タンク（図示省略）の内部に設けられている。タンクは、作動油を貯留するためのタンクであり、例えば箱形である。タンクは、図示しない作業機械（例えば、油圧装置）に設置されるものであり、この油圧装置へ供給する作動油の油圧回路内に設けられている。ただし、タンクは、油圧回路内に設けられるものに限られない。
【００１７】
フィルタ装置１は、主として、フィルタケース１０と、フィルタエレメント２０と、蓋体３０と、把持部材４０と、を有する。
【００１８】
フィルタケース１０は、耐腐食性の高い材料（例えば、ステンレス等の金属）により形成され、主として、タンク本体１１と、流入部１２と、流出部１３と、を有する。フィルタケース１０は、タンクの上面から下側（−ｚ側）に突出するようにタンクの内部に設けられる。タンク本体１１の側面には流入部１２が設けられ、タンク本体１１の底面には流出部１３が設けられている。
【００１９】
フィルタエレメント２０は、有底略筒形状の部材であり、フィルタケース１０の内部に設けられている。フィルタエレメント２０は、主として、濾材２１と、外筒２２と、内筒２３と、上プレート２４と、下プレート２５と、を有する。外筒２２、内筒２３、上プレート２４及び下プレート２５は、濾材２１と一体化される。
【００２０】
濾材２１は、両端に開口を有する略円筒形状の部材である。濾材２１は、合成樹脂や紙等を用いた濾紙をひだ折りにし、ひだ折りにした濾紙の両端を連結して円筒状にすることによって形成される。濾材２１の外側には、略全域に作動油が通過する孔が形成された外筒２２が設けられている。また、濾材２１の内側には、略全域に作動油が通過する孔が形成された内筒２３が設けられている。
【００２１】
外筒２２及び内筒２３は、両端に開口を有する略中空円筒形状の部材である。外筒２２及び内筒２３は、耐腐食性の高い材料（例えば、ステンレス又は樹脂）を用いて形成される。濾材２１、外筒２２及び内筒２３は、高さが略同一である。外筒２２に形成された孔は、外筒２２の外側と内側とを連通しており、内筒２３に形成された孔は、内筒２３の外側と内側とを連通している。なお、外筒２２は必須の構成ではない。
【００２２】
濾材２１、外筒２２、内筒２３の上端には上プレート２４が設けられている。上プレート２４には、把持部材４０が設けられている。
【００２３】
図２は、フィルタエレメント２０の上端近傍及び把持部材４０の断面図である。図２では、断面を示すハッチングを省略する。
【００２４】
上プレート２４は、主として、濾材２１の上端面に当接する板状部２４ａと、外筒２２の外側に外筒２２に沿って設けられている略円筒形状の筒状部２４ｂと、内筒２３の内側に内筒２３に沿って設けられている略円筒形状の筒状部２４ｃと、板状部２４ａから上方向（＋ｚ方向）に突出する略円筒形状の収容部２４ｄと、を有する。
【００２５】
収容部２４ｄには、金属製の棒を環状に折り曲げて形成された弾性を有する押さえリング５４が設けられている。押さえリング５４の両端は、略９０度折り曲げられている。押さえリング５４は弾性を有するため、折り曲げられた両端を近づける方向に力を加えると、直径が小さくなる方向に変形する。また、力を除去すると、弾性によって押さえリング５４の形状が元に戻る。
【００２６】
筒状部２４ｃに把持部材４０の本体部４１（後に詳述）が挿入された状態で収容部２４ｄに押さえリング５４が設けられると、押さえリング５４が本体部４１の上面４１ａ（後に詳述）に当接する。つまり、把持部材４０は、押さえリング５４によって抜け止めがなされ、フィルタエレメント２０に対して着脱可能、かつ容易に外れないように一体化される。なお、把持部材４０の抜け止めは、押さえリング５４を用いる構造に限定されない。
【００２７】
把持部材４０は、上プレート２４に取り付けられる部材である。把持部材４０は、主として、本体部４１と、ハンドル４２と、を有する。
【００２８】
本体部４１は、筒状部２４ｃの中空部に挿入される部分であり、平面視が略円形の厚板状、つまり略円柱形状である。本体部４１の外周面４１ｂの直径と筒状部２４ｃの内周面の直径とは略同一である。
【００２９】
本体部４１の外周面４１ｂには溝４１ｃが形成されており、溝４１ｃにはシール部材（例えば、Ｏリング）５２が設けられている。シール部材５２は、把持部材４０が上プレート２４に取り付けられた、すなわち本体部４１が筒状部２４ｃの中空部に挿入されたときに、上プレート２４（ここでは、筒状部２４ｃ）と把持部材４０（ここでは、本体部４１）との間に設けられている。
【００３０】
本体部４１が筒状部２４ｃの中空部に挿入されると、シール部材５２が弾性変形して溝４１ｃ及び外周面４１ｂに密接するため、シール部材５１が上プレート２４と把持部材４０とを一体化する。
【００３１】
ハンドル４２は、本体部４１の上面４１ａに設けられている。ハンドル４２と本体部４１とは一部品でもよいし、ねじ等によりハンドル４２が本体部４１に固定されていてもよい。
【００３２】
本体部４１の下側には、バルブ５３が設けられている。バルブ５３は、把持部材４０が上プレート２４に取り付けられたときに、内筒２３の内側に設けられている。バルブ５３は、空間Ｓ１（図１参照）の圧力が所定値よりも大きくなると開くようになっている。バルブ５３は公知であるため、詳細な説明は省略する。
【００３３】
本体部４１は、孔４１ｅを有する。バルブ５３が開くことで、孔４１ｅは、内筒２３の内部の空間（空間Ｓ２）と、フィルタケース１０の内部かつフィルタエレメント２０の外部の空間（空間Ｓ１、図１参照）とを連通する。
【００３４】
図３は、上プレート２４の斜視図である。筒状部２４ｃには、径方向内側に突出するリブ状の突起部２４ｅが設けられている。突起部２４ｅは、筒状部２４ｃの下端（−ｚ側の端）近傍に設けられている。突起部２４ｅは、板状であり、対向する位置に２箇所形成される。突起部２４ｅは、複数の孔２４ｆを有する。孔２４ｆについては後に詳述する。
【００３５】
図４は、把持部材４０の斜視図である。本体部４１の下面４１ｆは、本体部４１が筒状部２４ｃの中空部に挿入されたときに突起部２４ｅに当接する面であり、下面４１ｆには、下向き（−ｚ方向）に突出するリブ４１ｇ及び突起４１ｈが設けられている。
【００３６】
突起４１ｈは、例えば、文字を表す形状をなしている。本実施の形態では、突起４１ｈは、１６個（８個×２組）であり、例えば“Ｙ”、“Ａ”、“Ｍ”、“Ｓ”、“Ｈ”、“Ｉ”、“Ｎ”の文字又はその鏡像形状を表す形状を含んでいる。
【００３７】
突起４１ｈは、突起部２４ｅに形成された孔２４ｆに挿入される。言い換えれば、突起４１ｈと孔２４ｆとは対応する形状を有する。本実施の形態では、孔２４ｆは、“Ｙ”、“Ａ”、“Ｍ”、“Ｓ”、“Ｈ”、“Ｉ”、“Ｎ”の文字又はその鏡像形状を含む形状である。
【００３８】
本体部４１が筒状部２４ｃの中空部に挿入されると、下面４１ｆが突起部２４ｅに当接し、突起４１ｈが孔２４ｆに挿入される（図２参照）。また、リブ４１ｇは、２個の突起部２４ｅの間に位置する。
【００３９】
なお、孔２４ｆ及び突起４１ｈの形状は、これに限定されるものではない。複数の孔２４ｆ及び突起４１ｈは、文字、記号、図柄の少なくとも１つを表す形状と、その鏡像形状であってもよい。例えば、孔２４ｆ及び突起４１ｈは、フィルタエレメント２０や、フィルタエレメント２０が組み込まれる油圧アクチュエータを製作、販売等する会社の社名や登録商標の文字、形状等と、その鏡像形状であってもよい。
【００４０】
また、突起部２４ｅ、孔２４ｆ、突起４１ｈ等の位置及び数も、これに限られない。また、リブ４１ｇは必須ではない。
【００４１】
図１の説明に戻る。濾材２１、外筒２２、内筒２３の下側の端には下プレート２５が設けられている。下プレート２５の中空部には、フィルタケース１０の流出部１３が挿入される。
【００４２】
蓋体３０は、タンクの外側に設けられている。蓋体３０は、フィルタケース１０の上端面の開口部を覆うように、フィルタケース１０、フィルタエレメント２０（ここでは、上プレート２４）及び把持部材４０に設けられている。
【００４３】
蓋体３０は、主として、取付部３１と、蓋本体３２と、カバー３３と、を有する。
【００４４】
取付部３１は、略筒形状であり、ねじ等によりフィルタケース１０又はタンクに固定される。
【００４５】
蓋本体３２は、略厚板状の部材であり、取付部３１の上側から、取付部３１の中空部を覆うように設けられている。蓋本体３２は、取付部３１にねじ５８により固定される。取付部３１と蓋本体３２との間には、作動油の漏れを防止するシール部材（図示省略）が設けられている。
【００４６】
蓋本体３２は、主として、フランジ部３２ａと、フランジ部３２ａの内側に配置された略筒状の筒状部３２ｂと、を有する。フランジ部３２ａは取付部３１の上面に当接し、筒状部３２ｂは取付部３１の中空部に挿入される。
【００４７】
筒状部３２ｂの下側の面には、ハンドル４２が挿入される凹部３２ｃが形成される。筒状部３２ｂの上側の面には、カバー３３が設けられる凹部３２ｄが形成される。
【００４８】
カバー３３は、略板状の部材であり、蓋本体３２の上側に設けられている。なお、蓋本体３２とカバー３３とは一つの部材でもよい。
【００４９】
図１における２点鎖線矢印は、作動油の流れを示す。濾過前の作動油は、流入部１２から空間Ｓ１に流入する。作動油は、濾材２１で濾過されて空間Ｓ２に流入する。その後、作動油は、流出部１３からフィルタケース１０の外部の空間へと流出する。
【００５０】
フィルタエレメント２０は、作動油を濾過することにより、次第に濾過能力が低下していくため、定期的に又は必要に応じて、新しいフィルタエレメント２０に交換する必要がある。以下、交換の手順について説明する。
【００５１】
まず、蓋体３０（ここでは、蓋本体３２及びカバー３３）をフィルタケース１０から取り外すと、フィルタエレメント２０及び把持部材４０がフィルタケース１０の上側の開口部から露出するため、把持部材４０のハンドル４２を使用者が把持してフィルタエレメント２０及び把持部材４０を引き上げる。押さえリング５４によりフィルタエレメント２０と把持部材４０が一体化されているため、フィルタエレメント２０及び把持部材４０が一緒にフィルタケース１０の内部から引き上げられる。
【００５２】
フィルタエレメント２０及び把持部材４０がフィルタケース１０から取り外されたら、押さえリング５４を上プレート２４から取り外す。次に、把持部材４０を上プレート２４から取り外す。これにより、使用済みのフィルタエレメント２０が取り出される。把持部材４０及び押さえリング５４は、再び用いられる。
【００５３】
未使用の新たなフィルタエレメント２０に、使用済みのフィルタエレメント２０から取り外した把持部材４０を取り付け、使用済みのフィルタエレメント２０から取り外した押さえリング５４を新しいフィルタエレメント２０の上プレート２４に装着する。
【００５４】
なお、フィルタエレメント２０の交換時に、フィルタエレメント２０の使用者は、孔２４ｆ及び突起４１ｈを視認する。使用者に比較的文字が認識され易いことから、孔２４ｆ及び突起４１ｈは、文字として視認できる形状で形成することが望ましい。
【００５５】
本実施の形態によれば、正規なフィルタエレメント２０以外の非正規品であるフィルタエレメントが用いられることを防止することができる。
【００５６】
なお、本実施の形態では、非正規品の取り付け防止対策として、突起部２４ｅに凸部を形成し、当該凸部に対応する形状の凹部を把持部材４０に設けてもよい。
【００５７】
＜第２の実施の形態＞
図５は、第２の実施の形態にかかるフィルタ装置２の概略を示す断面図である。図５では、断面を示すハッチングを省略する。以下、第２の実施の形態と同一の構成については、同一の符号を付し、説明を省略する。
【００５８】
フィルタ装置２は、主として、フィルタケース１０（図５では図示省略）と、フィルタエレメント２０と、蓋体３０Ａと、把持部材４０Ａと、を有する。
【００５９】
蓋体３０Ａは、主として、取付部３１Ａと、蓋本体３２Ａと、カバー３３と、を有する。把持部材４０Ａは、上プレート２４に取り付けられる部材であり、主として、本体部４１Ａと、ハンドル４２Ａと、を有する。
【００６０】
取付部３１Ａは、外側に突出する突出部３１ａを有する。また、蓋本体３２Ａは、外側に突出する突出部３２ｉを有する。突出部３１ａ及び突出部３２ｉにより形成される空間３０ａには、差圧センサ５５が設けられている。また、取付部３１Ａは、径方向に延びる孔３１ｂを有し、孔３１ｂは空間３０ａと空間Ｓ１（図１参照）とを連通する。
【００６１】
図６は、取付部３１Ａ、蓋本体３２Ａ及び把持部材４０Ａの断面図である。図６では、断面を示すハッチングを省略する。本体部４１Ａには、下面４１ｆから上向きに突出する凹部４１ｍが設けられており、ハンドル４２Ａには、下向きに突出する凹部４２ａが設けられている。また、把持部材４０Ａには、凹部４１ｍと凹部４２ａとを連結する孔４１ｋが設けられている。なお、孔４１ｋは、凹部４２ａの底面に開口していてもよいし、凹部４２ａの底面近傍の側面に開口していてもよい。また、凹部４１ｍと孔４１ｋとの内径は同一でもよい。
【００６２】
蓋本体３２Ａは、凹部３２ｃの底面から突出するように設けられた凸部３２ｅを有する、また、蓋本体３２Ａは、凹部３２ｄの底面から突出するように設けられた凸部３２ｆを有する。凸部３２ｅ及び凸部３２ｆには、凸部３２ｅの先端に開口する穴３２ｇが形成される。また、筒状部３２ｂには、両端が穴３２ｇと筒状部３２ｂの外周面に開口する孔３２ｈが形成される。
【００６３】
凸部３２ｅは、凹部４２ａに挿入される。そのため、蓋体３０（ここでは、蓋本体３２Ａ）と把持部材４０（ここでは、ハンドル４２Ａ）との位置関係を一定にし、凹部４１ｍ、孔４１ｋ、凹部４２ａ、穴３２ｇ、及び孔３２ｈを１つの孔とすることができる。凸部３２ｅと凹部４２ａとの間には、作動油の漏れを防止するシール部材５６が設けられている。
【００６４】
図５の説明に戻る。凹部４１ｍ、孔４１ｋ、凹部４２ａ、穴３２ｇ、及び孔３２ｈは、空間Ｓ２と空間３０ａとを連通するため、差圧センサ５５を空間３０ａに設けることで、フィルタケース１０内部の圧力とケース外部の圧力の差が検出される。
【００６５】
本実施の形態によれば、正規品以外の部品の使用を防止しつつ、蓋体３０Ａに設けられた差圧センサ５５で空間Ｓ１と空間Ｓ２との差圧を検出することができる。
【００６６】
以上、この発明の実施形態を、図面を参照して詳述してきたが、具体的な構成はこの実施形態に限られるものではなく、この発明の要旨を逸脱しない範囲の設計変更等も含まれる。当業者であれば、実施形態の各要素を、適宜、変更、追加、変換等することが可能である。
【００６７】
また、本発明において、「略」とは、厳密に同一である場合のみでなく、同一性を失わない程度の誤差や変形を含む概念である。例えば、略同一とは、厳密に同一の場合には限られず、同一性を失わない程度の誤差を含む概念である。また、例えば、単に同一と表現する場合において、厳密に同一の場合のみでなく、略同一の場合を含むものとする。また、本発明において「近傍」とは、基準となる位置の近くのある範囲（任意に定めることができる）の領域を含むことを意味する。例えば、Ａの近傍という場合に、Ａの近くのある範囲の領域であって、Ａを含んでもいても含んでいなくてもよいことを示す概念である。
【符号の説明】
【００６８】
１、２  ：フィルタ装置
１０    ：フィルタケース
１１    ：タンク本体
１２    ：流入部
１３    ：流出部
２０    ：フィルタエレメント
２１    ：濾材
２２    ：外筒
２３    ：内筒
２４    ：上プレート
２４ａ  ：板状部
２４ｂ  ：筒状部
２４ｃ  ：筒状部
２４ｄ  ：収容部
２４ｅ  ：突起部
２４ｆ  ：孔
２５    ：下プレート
３０、３０Ａ：蓋体
３０ａ  ：空間
３１、３１Ａ：取付部
３１ａ  ：突出部
３１ｂ  ：孔
３２、３２Ａ：蓋本体
３２ａ  ：フランジ部
３２ｂ  ：筒状部
３２ｃ  ：凹部
３２ｄ  ：凹部
３２ｅ  ：凸部
３２ｆ  ：凸部
３２ｇ  ：穴
３２ｈ  ：孔
３２ｉ  ：突出部
３３    ：カバー
４０、４０Ａ：把持部材
４１、４１Ａ：本体部
４１ａ  ：上面
４１ｂ  ：外周面
４１ｃ  ：溝
４１ｅ  ：孔
４１ｆ  ：下面
４１ｇ  ：リブ
４１ｈ  ：突起
４１ｋ  ：孔
４１ｍ  ：凹部
４２、４２Ａ：ハンドル
４２ａ  ：凹部
５１    ：シール部材
５２    ：シール部材
５３    ：バルブ
５４    ：押さえリング
５５    ：差圧センサ
５６    ：シール部材
５８    ：ねじ
【図１】
2020179318.tif 000003
【図２】
2020179318.tif 000004
【図３】
2020179318.tif 000005
【図４】
2020179318.tif 000006
【図５】
2020179318.tif 000007
【図６】
2020179318.tif 000008